【事件の表示】
　特願２０１４−１６８７０８「コンテンツ暗号化をアップグレードするための方法」拒絶査定不服審判事件〔平成２７年　３月１２日出願公開，特開２０１５−　４６８７８〕について，次のとおり審決する。
【結　論】
　本件審判の請求は，成り立たない。
【理　由】
第１．手続の経緯
　本願は，２０１０年３月２２日（パリ条約による優先権主張外国庁受理２００９年３月２５日，２００９年５月２６日　アメリカ合衆国）を国際出願日とする特願２０１２−５０２１４６号の一部を，特許法第４４条第１項の規定により，平成２６年８月２１日に新たな特許出願としたものであって，
　平成２６年９月２２日付けで特許法第１８４条の４第１項の規定による明細書，請求の範囲，及び，図面（図面の中の説明に限る）の日本語による翻訳文が提出され，同日付けで審査請求がなされると共に手続補正がなされ，平成２７年８月２１日付けで審査官により拒絶理由が通知され，これに対して平成２７年１１月１７日付けで意見書が提出されたが，平成２７年１２月８日付けで審査官により拒絶査定がなされ（謄本送達；平成２７年１２月１４日），これに対して平成２８年４月１４日付けで審判請求がなされものである。
　
第２．本願発明について
　本願の請求項１に係る発明（以下，これを「本願発明」という）は，平成２６年９月２２日付けの手続補正により補正された，特許請求の範囲の請求項１に記載された，次のとおりのものである。
　
「ビデオコンテンツ受信機装置において，
　　所定の暗号化方法を使用して暗号化された複数の暗号化部分を含むように選択的に暗号化されたデジタルビデオコンテンツのストリームを受信するステップと，
　　前記デジタルビデオコンテンツのストリームを，前記ビデオコンテンツ受信機装置の一部を成すプロセッサがアクセスできるメモリに記憶するステップと，
　　前記メモリに記憶された前記デジタルビデオコンテンツのストリームのうちの前記暗号化部分をスマートカードインターフェイスを介してスマートカードへ送信するステップと，
を含み，
　前記スマートカードにおいて，
　　前記暗号化部分を受信し，該暗号化部分を暗号解読して暗号解読部分を生成するステップと，
　　前記暗号解読部分を，前記ビデオコンテンツ受信機装置の一部を成す前記プロセッサへ前記スマートカードインターフェイスを介して返送するステップと，
を含み，
　前記ビデオコンテンツ受信機装置において，
　　前記暗号解読部分を前記メモリに記憶し，前記デジタルビデオコンテンツのストリームを，前記メモリに記憶された，前記暗号化部分に取って代わる前記暗号解読部分で，暗号化されていないデジタルビデオコンテンツのストリームとして再構築するステップと，を含む，
ことを特徴とする暗号解読方法。」
　
第３．引用刊行物に記載の事項
１．原審における平成２７年８月２１日付けの拒絶理由（以下，これを「原審拒絶理由」という）に引用された，本願の原出願の第１国出願前に既に公知である，特開２００６−１２８９０７号公報（２００６年５月１８日公開，以下，これを「引用刊行物１」という）には，関連する図面と共に，次の事項が記載されている。
　
Ａ．「【０００２】
　近年，衛星や地上波及びケーブルによるデジタル放送が開始され，本格化し始めている。
デジタル放送システムでは，例えば，ＭＰＥＧ２方式で圧縮された映像や音声，番組情報等をトランスポートストリーム（以下，ＴＳという）というビットストリームで多重化し伝送している
【０００３】
　図６は，ＴＳのフォーマットを示している。図に示されるように，
ＴＳは，複数のＴＳパケットから構成されている
ＴＳパケットで伝送される伝送データのスクランブルの有無を示すスクランブル制御フラグを含んでいる。データ部３０２には，例えば，ＭＰＥＧ２方式で圧縮され必要に応じてスクランブルされた映像や音声等の伝送データが格納される。この伝送データをＰＥＳ（Ｐａｃｋｅｔｉｚｅｄ  Ｅｌｅｍｅｎｔａｒｔｙ  Ｓｔｒｅａｍ）といい，複数のＴＳパケットに含まれるＰＥＳを連結することで，１つの映像データ等となる
　
Ｂ．「【０００６】
　図７のブロック図は，従来の受信装置の構成を示しており，例えば，特許文献１に記載されているものである。この
従来の受信装置７００は，受信したＴＳをＴＳパケットに分離してメモリに格納し，必要に応じてＨＳＤを介して外部の装置へ出力する
【０００７】
　従来の
受信装置７００は，図に示されるように，ＴＳ  Ｄｅｍｕｘ（ＴＳ分離装置）７１，外部メモリ７２，外部ＣＰＵ７３を備えている。ＴＳ分離装置７１は，ＴＳパケット受信ブロック（以下，受信ブロックとする）７１１，ＴＳ  Ｄｅｍｕｘ  内部ＣＰＵ（以下，内部ＣＰＵとする）７１２，デスクランブラ７１３，ＤＭＡ（Ｄｉｒｅｃｔ  Ｍｅｍｏｒｙ  Ａｃｃｅｓｓ）制御部７１４，内部メモリ７１６，ホストインタフェース７１０を備えている
　
Ｃ．「【０００９】
　
内部メモリ７１６は，バッファ領域７１６ａとプログラム領域７１６ｂを有している。バッファ領域７１６ａには，受信したＴＳパケットが格納され
【００１０】
　
バッファ領域７１６ａには，図８に示すように，４つのＴＳパケットバッファの領域が設けられている
【００１１】
　次に，図９及び図１０を用いて，従来のＴＳ分離装置７１の動作について説明する。図９は，従来のＴＳ分離装置７１の動作を示すフローチャート，図１０は，ｎ＝１としたときの従来のＴＳ分離装置７１の動作を示すタイミングチャートである。この処理は，
スクランブルされたデータを含むＴＳパケットを受信し，ＨＳＤ７６及び外部メモリ７２へ出力する場合の処理である。ＨＳＤ７６へは，デジタルＡＶ機器等でデスクランブルすることが前提であるため，ＴＳパケットをスクランブルされた状態のまま転送する。外部メモリ７２へは，例えば，受信装置７００に接続される表示装置（不図示）等で映像の表示等を行うため，デスクランブルしたデータを出力する
【００１２】
　まず，
受信ブロック７１１が，ＴＳパケット＃ｎをバッファに書き込む（Ｓ１１）
受信ブロック７１１は，ＴＳパケット＃ｎの書き込みが完了すると，内部ＣＰＵ７１２に内部バス７１７を介して割込みを出力する
【００１３】
　
次いで，内部ＣＰＵ７１２が，ＴＳパケット＃ｎのヘッダを解析する
内部ＣＰＵ７１２は，受信ブロック７１１から書き込み完了の割込みを受けると，書き込まれたＴＳパケット＃ｎに対してヘッダ部３０１の解析処理を行う。内部ＣＰＵ７１２は，ヘッダ部３０１に含まれるフラグ３１４のスクランブル制御フラグに基づいて，スクランブルの有無を決定する
　
Ｄ．「【００１７】
　
次いで，デスクランブラ７１３が，ＴＳパケット＃ｎをデスクランブルする（Ｓ１６）
デスクランブラ７１３は，内部ＣＰＵ７１２の指示を受け，ＴＳパケット＃ｎをＴＳパケットバッファ＃１（７６１）から読み出し
デスクランブルされたデータ部３０２は，ＴＳパケットバッファ＃１（７６１）に上書きされる
　
Ｅ．「【００２１】
　次いで，内部ＣＰＵ７１２が，ＴＳパケット＃ｎのデータを解析し，ＤＭＡ制御部７１４が，外部メモリへ出力する（Ｓ２０）。処理Ｓ２０は，図１０のタイミングｔ２０において実行開始し，期間（ｒ）（ＴＳパケットのデータ解析処理時間）と期間（ｓ）（外部メモリへの出力時間）の後，実行終了する。
内部ＣＰＵ７１２は，デスクランブラ７１３からＴＳパケット＃ｎのデスクランブル終了の割込みを受けると，ＴＳパケット＃ｎのデータ部３０２の解析を行う。解析の結果，データ部３０２を出力する場合，内部ＣＰＵ７１２は，ＤＭＡ制御部７１４に対しデータ部３０２を外部メモリ７２へ出力するよう指示を行う
　
２．原審拒絶理由に引用された，本願の原出願の第１国出願前に既に公知である，特表２００７−５１６６６５号公報（公表日；２００７年６月２１日，以下，これを「引用刊行物２」という）には，関連する図面と共に，次の事項が記載されている。
　
Ｆ．「【００２０】
　図２は，通常そのようなケーブルカードで使用される従来のケーブルカードの構造を示す。ケーブルカード１０の実現例では，インタフェース５０を介してホスト機器１４に接続される。従来のケーブルカードは，入力データストリームを復号するＭＰＥＧストリーム復号ブロックにおいて帯域内データを受信する。データがホスト機器１４に戻されると，そのデータは，ＭＰＥＧストリーム暗号化器５８において再暗号化される。ケーブルカード１０は，さらに，ケーブルカード１０内，例えば，ＣＰＵ６６において処理する特定のコンテンツをデータストリームから分配するために，デマルチプレクサ６２を内蔵してもよい。帯域外データはブロック７０において処理される。
【００２１】
　本発明のある実施形態によると，ケーブルカードモジュールは，ケーブルカード内で，例えば，パッセージの選択的暗号化システムの復号の様々な形態を実施するためのメカニズムに備えられている。上記特許出願は，本発明のある実施形態のＰＩＤ再マッピング機能を使用する選択的暗号化システムのある実施形態の詳細について参照することができる。特に，復号及び／又はＰＩＤ再マッピング機能は，汎用ホストＳＴＢ又は他の受信機にパッセージ互換性又は他の選択的暗号化又はＰＩＤ再マッピング機能との互換性を与えるためにケーブルカード内で実行される。本教示を考察すれば，他の選択的暗号化システム，完全暗号化システム，及びＰＩＤマッピング及び再マッピングを利用する他のシステムが，ケーブルカード内でこれらの機能を得て，汎用的ホストシステムがケーブルカードの機能性によりその「個性」を得ることを可能にすることから利益を得ることができるため本発明がソニー株式会社のパッセージ選択的暗号化システムとの互換性を有するシステムだけに限定されるものではないことは，当業者にとって明らかである。」
　
３．原審拒絶理由に引用された，本願の原出願の第１国出願前に既に公知である，特表２００４-５１６７２９号公報（公表日；２００４年６月３日，以下，これを「引用刊行物３」という）には，関連する図面と共に，次の事項が記載されている。
　
Ｇ．「【００２８】
制御信号Ｃに応答して，ＭＵＸ３７は装置３５からのトランスポート・ストリームを選択するか，または再生モードで，蓄積インタフェース９５を介して蓄積装置９０から取り出されるデータ・ストリームを選択する。通常の，非再生動作において，利用者が視聴するために選択した番組を含むデータ・パケットは，選択装置４５によって，そのパケットのＰＩＤ（Ｐａｃｋｅｔ  Ｉｄｅｎｔｉｆｉｅｒ：パケット識別子）によって識別される。もし，パケットが暗号化されていることを，選択された番組パケットのヘッダ・データ内の暗号化指標が示すならば，選択装置４５はそのパケットを解読装置５０に供給する。もしそうでなければ，選択装置４５は暗号化されてないパケットをトランスポート・デコーダ５５に供給する。同様に，ユーザが蓄積するために選択した番組を含むデータ・パケットは，選択装置４７によって，そのパケットのパケット識別子により識別される。選択装置４７は，パケット・ヘッダの暗号化指標に基づき，暗号化されたパケットを解読装置５０に供給するか，または暗号化されてないパケットをＭＵＸ１１０に供給する。
【００２９】
解読装置４０と５０の機能は，ＮＲＳＳ標準に適合する単独の取外し可能なスマートカードで実行される。すべてのセキュリティ関連の機能は取外し可能な装置内に収められ，この装置は，サービス・プロバイダが暗号化技術を変更することに決めれば容易に取り替えられ，またはセキュリティ・システムを容易に変更することができるようにし，例えば，別のサービスをデスクランブル（ｄｅｓｃｒａｍｂｌｅ）することができるようにする。」
　
Ｈ．「【００３１】
選択装置４５と４７から解読装置５０に供給されるパケットは，商務省の技術情報サービスにより提供された連邦情報標準公報（Ｆｅｄｅｒａｌ  Ｉｎｆｏｒｍａｔｉｏｎ  Ｓｔａｎｄａｒｄｓ  Ｐｕｂｌｉｃａｔｉｏｎ：ＦＩＰＳ）４６，７４，８１において規定されるデータ暗号化標準（Ｄａｔａ  Ｅｎｃｒｙｐｔｉｏｎ  Ｓｔａｎｄａｒｄ：ＤＥＳ）のような暗号化技術を使用して暗号化される。解読装置５０は暗号化されたパケットを，選択された暗号化アルゴリズムに適合する解読技術を使用し，装置４５と４７から供給される暗号化キーを使用して，暗号化されたパケットを解読する。解読装置５０からの解読されたパケット，および表示用の番組を含んでいる装置４５からの暗号化されてないパケットはデコーダ５５に供給される。解読装置５０からの解読されたパケット，および蓄積用の番組を含んでいる選択装置４７からの暗号化されてないパケットはＭＵＸ１１０に供給される。」
　
第４．引用刊行物に記載の発明
１．上記Ａの「デジタル放送システムでは，例えば，ＭＰＥＧ２方式で圧縮された映像や音声，番組情報等をトランスポートストリーム（以下，ＴＳという）というビットストリームで多重化し伝送している」という記載，同じく，上記Ａの「ＴＳは，複数のＴＳパケットから構成されている」という記載，及び，同じく，上記Ａの「ＴＳパケットで伝送される伝送データのスクランブルの有無を示すスクランブル制御フラグを含んでいる。データ部３０２には，例えば，ＭＰＥＧ２方式で圧縮され必要に応じてスクランブルされた映像や音声等の伝送データが格納される」という記載，上記Ｂの「従来の受信装置７００は，受信したＴＳをＴＳパケットに分離してメモリに格納し，必要に応じてＨＳＤを介して外部の装置へ出力する」という記載から，引用刊行物１には，“映像や音声等の伝送データである複数のＴＳパケットから構成されているトランスポートストリームを受信する受信装置”が記載されていることが読み取れる。
　
２．上記１．において引用した，上記Ａの「トランスポートストリーム（以下，ＴＳという）というビットストリームで多重化し伝送している」という記載と，同じく，１．おいて引用した，上記Ｂの「従来の受信装置７００は，受信したＴＳ」という記載と，上記Ｃの「スクランブルされたデータを含むＴＳパケットを受信し，ＨＳＤ７６及び外部メモリ７２へ出力する場合の処理である。ＨＳＤ７６へは，デジタルＡＶ機器等でデスクランブルすることが前提であるため，ＴＳパケットをスクランブルされた状態のまま転送する」という記載から，引用刊行物１には，
“複数のＴＳパケットから構成されているスクランブルされたデータを含むトランスポートストリームを受信する段階”
　が存在していることが読み取れる。
　
３．上記Ｂの「受信装置７００は，図に示されるように，ＴＳ  Ｄｅｍｕｘ（ＴＳ分離装置）７１，外部メモリ７２，外部ＣＰＵ７３を備えている。ＴＳ分離装置７１は，ＴＳパケット受信ブロック（以下，受信ブロックとする）７１１，ＴＳ  Ｄｅｍｕｘ  内部ＣＰＵ（以下，内部ＣＰＵとする）７１２，デスクランブラ７１３，ＤＭＡ（Ｄｉｒｅｃｔ  Ｍｅｍｏｒｙ  Ａｃｃｅｓｓ）制御部７１４，内部メモリ７１６，ホストインタフェース７１０を備えている」という記載，上記Ｃの「内部メモリ７１６は，バッファ領域７１６ａとプログラム領域７１６ｂを有している。バッファ領域７１６ａには，受信したＴＳパケットが格納され」という記載，同じく，上記Ｃの「バッファ領域７１６ａには，図８に示すように，４つのＴＳパケットバッファの領域が設けられている」という記載，同じく，上記Ｃの「受信ブロック７１１が，ＴＳパケット＃ｎをバッファに書き込む（Ｓ１１）」という記載，同じく，上記Ｃの「受信ブロック７１１は，ＴＳパケット＃ｎの書き込みが完了すると，内部ＣＰＵ７１２に内部バス７１７を介して割込みを出力する」という記載，及び，同じく，上記Ｃの「次いで，内部ＣＰＵ７１２が，ＴＳパケット＃ｎのヘッダを解析する」という記載から，引用刊行物１における「内部メモリ７１６」は，「内部プロセッサ７１２」からアクセス可能であり，前記「内部メモリ７１６」には，「ＴＳパケット」が書き込まれるものであることが読み取れるので，上記引用の記載から，引用刊行物１には，
“スクランブルされたデータを含むＴＳパケットを，受信装置７００に含まれる内部プロセッサが，アクセス可能な，内部メモリに書き込む段階”
　が存在していることが読み取れる。
　
４．上記Ｃの「内部ＣＰＵ７１２は，受信ブロック７１１から書き込み完了の割込みを受けると，書き込まれたＴＳパケット＃ｎに対してヘッダ部３０１の解析処理を行う。内部ＣＰＵ７１２は，ヘッダ部３０１に含まれるフラグ３１４のスクランブル制御フラグに基づいて，スクランブルの有無を決定する」という記載と，上記Ｄの「次いで，デスクランブラ７１３が，ＴＳパケット＃ｎをデスクランブルする（Ｓ１６）」という記載，及び，同じく，上記Ｄの「デスクランブラ７１３は，内部ＣＰＵ７１２の指示を受け，ＴＳパケット＃ｎをＴＳパケットバッファ＃１（７６１）から読み出し」という記載から，引用刊行物１には，
“内部ＣＰＵは，ＴＳパケット＃ｎのヘッダ部の解析を行い，前記ＴＳパケット＃ｎのスクランブルの有無を決定し，前記ＴＳパケット＃ｎが，スクランブルされている場合は，前記ＴＳパケット＃ｎの読み出しを，デスクランブラに指示する段階”
　が存在していることが読み取れる。
　
５．上記４．において引用した，上記Ｄの「デスクランブラ７１３が，ＴＳパケット＃ｎをデスクランブルする」という記載と，同じく上記４．において引用した，上記Ｄの「デスクランブラ７１３は，内部ＣＰＵ７１２の指示を受け，ＴＳパケット＃ｎをＴＳパケットバッファ＃１（７６１）から読み出し」という記載から，引用刊行物１には，
“デスクランブラが，スクランブルされたＴＳパケット＃ｎを読み出し，前記ＴＳパケット＃ｎをデスクランブルする段階”
　が存在していることが読み取れる。
　
６．上記Ｄの「デスクランブルされたデータ部３０２は，ＴＳパケットバッファ＃１（７６１）に上書きされる」という記載と，上記４．において検討した事項から，引用刊行物１には，
　“デスクランブルされたＴＳパケット＃ｎを，内部メモリに上書きする段階”
　が存在していることが読み取れる。
　
７．上記６．において検討した事項と，上記Ｅの「内部ＣＰＵ７１２は，デスクランブラ７１３からＴＳパケット＃ｎのデスクランブル終了の割込みを受けると，ＴＳパケット＃ｎのデータ部３０２の解析を行う。解析の結果，データ部３０２を出力する場合，内部ＣＰＵ７１２は，ＤＭＡ制御部７１４に対しデータ部３０２を外部メモリ７２へ出力するよう指示を行う」という記載から，引用刊行物１において，
“スクランブルされていないデータも，内部ＣＰＵ７１２により解析を受けた結果，外部メモリに送信される場合が存在する”ことは明らかであるから，上記Ａの「伝送データをＰＥＳ（Ｐａｃｋｅｔｉｚｅｄ  Ｅｌｅｍｅｎｔａｒｔｙ  Ｓｔｒｅａｍ）といい，複数のＴＳパケットに含まれるＰＥＳを連結することで，１つの映像データ等となる」という記載，上記Ｃの「外部メモリ７２へは，例えば，受信装置７００に接続される表示装置（不図示）等で映像の表示等を行うため，デスクランブルしたデータを出力する」という記載と，上記６．において検討した事項から，引用刊行物１には，
“受信装置において，デスクランブルされたＴＳパケット＃ｎを，内部メモリに上書きし，前記上書きしたＴＳパケットと，スクランブルされていないＴＳパケットとを，映像の表示等を行うために，１つの映像データ等となるよう，外部メモリへ出力する段階”が存在することが読み取れる。
　
８．そして，上記１．〜７．において検討した事項から，引用刊行物１には，「受信装置７００」における“デスクランブル方法”が記載されていることは，明らかであるから，引用刊行物１には，次の発明（以下，これを「引用発明」という）が記載されているものと認める。
　
「映像や音声等の伝送データである複数のＴＳパケットから構成されているトランスポートストリームを受信する受信装置において，
　複数のＴＳパケットから構成されているスクランブルされたデータを含むトランスポートストリームを受信する段階と，
　スクランブルされたデータを含むＴＳパケットを，前記受信装置に含まれる内部プロセッサが，アクセス可能な，内部メモリに書き込む段階と，
　前記内部ＣＰＵは，ＴＳパケット＃ｎのヘッダ部の解析を行い，前記ＴＳパケット＃ｎのスクランブルの有無を決定し，前記ＴＳパケット＃ｎが，スクランブルされている場合は，前記ＴＳパケット＃ｎの読み出しを，デスクランブラに指示する段階と，
　前記デスクランブラが，前記スクランブルされたＴＳパケット＃ｎを読み出し，前記ＴＳパケット＃ｎをデスクランブルする段階と，
　デスクランブルされたＴＳパケット＃ｎを，前記内部メモリに上書きする段階と，
　前記受信装置において，前記デスクランブルされたＴＳパケット＃ｎを，前記内部メモリに上書きし，前記上書きしたＴＳパケットと，スクランブルされていないＴＳパケットとを，映像の表示等を行うために，１つの映像データ等となるよう，外部メモリへ出力する段階，
　とからなるデスクランブル方法。」
　
第５．本願発明と引用発明との対比
１．引用発明における「映像や音声等の伝送データ」が，伝送される「ビデオコンテンツ」を含むものであることは，明らかであるから，
　引用発明における「映像や音声等の伝送データである複数のＴＳパケットから構成されているトランスポートストリームを受信する受信装置」が，
　本願発明における「ビデオコンテンツ受信機装置」に相当する。
　
２．引用発明における「スクランブル」とは，「ＴＳパケット」を，所定の方法で暗号化することに他ならず，引用発明においては，「ＴＳパケット」の一部が，「スクランブル」，即ち，“所定の方法で暗号化されている”ものであるから，
　引用発明における「複数のＴＳパケットから構成されているスクランブルされたデータを含むトランスポートストリーム」が，
　本願発明における「所定の暗号化方法を使用して暗号化された複数の暗号化部分を含むように選択的に暗号化されたデジタルビデオコンテンツのストリーム」に相当するので，
　引用発明における「複数のＴＳパケットから構成されているスクランブルされたデータを含むトランスポートストリームを受信する段階」が，
　本願発明における「所定の暗号化方法を使用して暗号化された複数の暗号化部分を含むように選択的に暗号化されたデジタルビデオコンテンツのストリームを受信するステップ」に相当する。
　
３．引用発明における「受信装置に含まれる内部プロセッサ」，「内部メモリ」が，
　本願発明における「ビデオコンテンツ受信機装置の一部を成すプロセッサ」，「メモリ」に相当するので，
　引用発明における「スクランブルされたデータを含むＴＳパケットを，前記受信装置に含まれる内部プロセッサが，アクセス可能な，内部メモリに書き込む段階」が，
　本願発明における「デジタルビデオコンテンツのストリームを，前記ビデオコンテンツ受信機装置の一部を成すプロセッサがアクセスできるメモリに記憶するステップ」に相当する。
　
４．引用発明においては，「ＴＳパケット」のうち「スクランブル」されているものがあれば，当該「スクランブル」されている「ＴＳパケット」を，「メモリ」から読み出すよう「スクランブラ」に指示しているが，そのことによって，当該「ＴＳパケット」が，「デスクランブラ」に，送られるようにしていることは，明らかである。そして，
　引用発明における「デスクランブラ」は，“スクランブルされているＴＳパケットを元に戻す”，即ち，“スクランブルされているＴＳパケットを復号する復号部”であるから
　引用発明における「内部ＣＰＵは，ＴＳパケット＃ｎのヘッダ部の解析を行い，前記ＴＳパケット＃ｎのスクランブルの有無を決定し，前記ＴＳパケット＃ｎが，スクランブルされている場合は，前記ＴＳパケット＃ｎの読み出しを，デスクランブラに指示する段階」と，
　本願発明における「メモリに記憶された前記デジタルビデオコンテンツのストリームのうちの前記暗号化部分をスマートカードインターフェイスを介してスマートカードへ送信するステップ」とは，
“メモリに記憶されたデジタルビデオコンテンツのストリームのうちの暗号化部分を，復号部へ送るようにするステップ”である点で共通する。
　
５．引用発明において，「デスクランブラが，前記スクランブルされたＴＳパケット＃ｎを読み出」すことは，“デスクランブラが，スクランブルされたＴＳパケット＃ｎのヘッダ部パケット＃ｎを受け取る”ことであり，
　引用発明において，“デスクランブラが，スクランブルされたＴＳパケット＃ｎをデスクランブルする”ことは，“ＴＳパケット＃ｎを復号すること”であるから，
　引用発明における「デスクランブラが，前記スクランブルされたＴＳパケット＃ｎを読み出し，前記ＴＳパケット＃ｎをデスクランブルする段階」と，
　本願発明における「スマートカードにおいて，暗号化部分を受信し，該暗号化部分を暗号解読して暗号解読部分を生成するステップ」とは，
“復号部において，暗号化部分を受信し，該暗号化部分の暗号を解読して暗号解読部分を生成するステップ”である点で共通する。
　
６．引用発明において，「デスクランブルされたＴＳパケット＃ｎを，前記内部メモリに上書きする」とは，「デスクランブルされたＴＳパケット＃ｎ」を，「内部メモリ」に返送することに他ならない。そして，
　本願発明において，「返送」された「暗号解読部分」は，「メモリに記憶される」ことを踏まえれば，
　引用発明における「デスクランブルされたＴＳパケット＃ｎを，前記内部メモリに上書きする段階」と，
　本願発明における「暗号解読部分を，前記ビデオコンテンツ受信機装置の一部を成す前記プロセッサへ前記スマートカードインターフェイスを介して返送するステップ」とは，
“暗号解読部分を，返送するステップ”である点で共通する。
　
７．引用発明において，「スクランブルされていないＴＳパケット」と，「デスクランブルされたＴＳパケット＃ｎ」とで，「１つの映像データ等」になるよう処理を行っていることは，明らかであるから，
　引用発明における「受信装置において，前記デスクランブルされたＴＳパケット＃ｎを，前記内部メモリに上書きし，前記上書きしたＴＳパケットと，スクランブルされていないＴＳパケットとを，映像の表示等を行うために，１つの映像データ等となるよう，外部メモリへ出力する段階」が,
　本願発明における「暗号解読部分を前記メモリに記憶し，前記デジタルビデオコンテンツのストリームを，前記メモリに記憶された，前記暗号化部分に取って代わる前記暗号解読部分で，暗号化されていないデジタルビデオコンテンツのストリームとして再構築するステップ」に相当する。
　
８．以上，１．〜７．において検討した事項から，本願発明と，引用発明との，一致点，及び，相違点は，次のとおりである。
　
［一致点］
　ビデオコンテンツ受信機装置において，
　所定の暗号化方法を使用して暗号化された複数の暗号化部分を含むように選択的に暗号化されたデジタルビデオコンテンツのストリームを受信するステップと，
　前記デジタルビデオコンテンツのストリームを，前記ビデオコンテンツ受信機装置の一部を成すプロセッサがアクセスできるメモリに記憶するステップと，
　前記メモリに記憶された前記デジタルビデオコンテンツのストリームのうちの暗号化部分を，復号部へ送るようにするステップと，
　復号部において，
　暗号化部分を受信し，該暗号化部分の暗号を解読して暗号解読部分を生成するステップと，
　前記暗号解読部分を，返送するステップと，
を含み，
　前記ビデオコンテンツ受信機装置において，
　前記暗号解読部分を前記メモリに記憶し，前記デジタルビデオコンテンツのストリームを，前記メモリに記憶された，前記暗号化部分に取って代わる前記暗号解読部分で，暗号化されていないデジタルビデオコンテンツのストリームとして再構築するステップと，
を含む，暗号解読方法。
　
［相違点１］
“復号部”に関して
　本願発明においては，「スマートカード」であるのに対して，
　引用発明においては，「デスクランブラ」である点。
　
［相違点２］
“復号部へ送るようにするステップ”に関して，
　本願発明においては，「暗号化部分をスマートカードインターフェイスを介してスマートカードへ送信する」ものであるのに対して，
　引用発明においては，「デスクランブラが，前記スクランブルされたＴＳパケット＃ｎを読み出」すものであって，「スマートカードインターフェイス」については，言及されていない点。
　
［相違点３］
“返送するステップ”に関して
　本願発明においては，「プロセッサへ前記スマートカードインターフェイスを介して返送する」ものであるのに対して，
　引用発明においては，「デスクランブルされたＴＳパケット＃ｎを，前記内部メモリに上書きする」ものである点。
　
第６．相違点についての当審の判断
１．［相違点１］について
　原審拒絶理由に引用された引用刊行物２の，上記Ｆに引用した記載内容，或いは，同じく原審拒絶理由に引用された引用刊行物３の，上記Ｇ，Ｈに引用した記載内容にもあるとおり，データ・ストリームを復号，或いは，デスクランブルするためのカード，或いは，スマートカードを設けることは，本願の原出願の第１国出願前に，当業者には広く知られた技術事項であり，引用発明においても，デスクランブラを，スマートカードにより構成することは，当業者が適宜なし得る事項である。
　よって，［相違点１］は，格別のものではない。
　
２．［相違点２］，及び，［相違点３］について
　引用刊行物２，或いは，引用刊行物３には，スマートカードが，インタフェースを介して接続されていることが記載され，データ・ストリームは，当該インタフェースを介して，スマートカードに送信されることは，明らかであるから，
　引用発明において，デスクランブラとして，デスクランブラ機能を有するスマートカードを採用した場合に，デスクランブラが，メモリにデータを読みに行くことに代えて，ＣＰＵが，インタフェースを介して，スマートカードへデータを送信し，処理後のデータを，当該インタフェースを介して，ＣＰＵに送信するよう構成することは，当業者が，適宜なし得る程度のものである。
　よって，［相違点２］，及び，［相違点３］は，格別のものではない。
　
３．上記で検討したごとく，［相違点１］〜［相違点３］はいずれも格別のものではなく，そして，本願発明の構成によってもたらされる効果も，当業者であれば容易に予測できる程度のものであって，格別なものとは認められない。
　
第７．むすび
　したがって，本願発明は，本願の特許出願前に日本国内又は外国において頒布された刊行物に記載された発明又は電気通信回線を通じて公衆に利用可能となった発明に基づいて当業者が容易に発明をすることができたものであるので，特許法第２９条第２項の規定により特許を受けることができない。
　
　よって，結論のとおり審決する。